(57)【要約】【課題】フィルム型の太陽電池を備えるとともに、静電気の影響を受けにくい太陽電池付電子時計を提供する。【解決手段】太陽電池付電子時計は、導電性材料により形成された外装ケースと、外装ケースに収容される太陽電池ユニット４と、電気エネルギーを蓄積する二次電池を有し、外装ケースに収容されるムーブメント２と、を備える。太陽電池ユニット４は、フィルム製の基材４１を用いた太陽電池４０と、当該太陽電池４０の基材４１の裏面に形成された正極および負極と、正極および負極に接触せずに基材４１の裏面に接着された導電性の太陽電池案内板４５と、を有する。太陽電池４０の正極は、二次電池の正極に導通され、太陽電池４０の負極は、二次電池の負極に導通され、太陽電池案内板４５は、二次電池の正極と負極のうちグランド電極に設定された電極に導通される。【選択図】図２
2014006145.tif 000002
【特許請求の範囲】
【請求項１】
導電性材料により形成された外装ケースと、
前記外装ケースに収容される太陽電池ユニットと、
電気エネルギーを蓄積する蓄電体を有し、前記外装ケースに収容されるムーブメントと、を備え、
前記太陽電池ユニットは、フィルム製の基材を用いた太陽電池と、当該太陽電池の基材の裏面に形成された正極および負極と、前記正極および負極に接触せずに前記基材の裏面に接着された導電性の太陽電池案内板と、を有し、
前記太陽電池の正極は、前記蓄電体の正極に導通され、
前記太陽電池の負極は、前記蓄電体の負極に導通され、
前記太陽電池案内板は、前記蓄電体の正極と負極のうちグランド電極に設定された電極に導通される
ことを特徴とする太陽電池付電子時計。
【請求項２】
請求項１に記載の太陽電池付電子時計において、
前記太陽電池ユニットと前記蓄電体の電極とを導通する導通部材を備え、
前記導通部材は、
前記太陽電池の正極を前記蓄電体の正極に導通する正極コイルばねと、
前記太陽電池の負極を前記蓄電体の負極に導通する負極コイルばねと、
前記太陽電池案内板を前記蓄電体の正極と負極のうちグランド電極に設定された電極に導通する案内板導通コイルばねと、を有する
ことを特徴とする太陽電池付電子時計。
【請求項３】
請求項２に記載の太陽電池付電子時計において、
前記太陽電池案内板は、前記ムーブメントに固定可能な固定部を備え、
前記固定部は、前記太陽電池案内板の中心を挟んで互いに対向配置され、
前記正極コイルばねは、前記固定部のうち一方の近傍に設けられ、
前記負極コイルばねは、前記固定部のうち他方の近傍に設けられ、
前記案内板導通コイルばねは、前記正極コイルばねと前記負極コイルばねのうちグランド電極に導通されるコイルばねの近傍に設けられる
ことを特徴とする太陽電池付電子時計。
【請求項４】
請求項１に記載の太陽電池付電子時計において、
前記太陽電池ユニットと前記蓄電体の電極とを導通する導通部材を備え、
前記導通部材は、
前記太陽電池の正極を前記蓄電体の正極に導通する正極コイルばねと、
前記太陽電池の負極を前記蓄電体の負極に導通する負極コイルばねと、を有し、
前記二次電池の正極と負極のうちグランド電極に設定された電極に導通する前記正極コイルばねまたは前記負極コイルばねの一方は、前記太陽電池案内板にも導通する
ことを特徴とする太陽電池付電子時計。
【発明の詳細な説明】
【技術分野】
【０００１】
本発明は、太陽電池付電子時計に関する。
【背景技術】
【０００２】
従来、太陽電池を備える時計（以後、太陽電池付電子時計、という）が知られている（例えば、特許文献１）。
太陽電池付電子時計においては、静電気が内部に入り込むことにより、太陽電池が破損するおそれがある。そこで、太陽電池付電子時計などの携帯型電子機器においては、静電気対策として、静電気の逃避ルートを形成した太陽電池モジュールが用いられる。特許文献１の背景技術には、太陽電池のガラス基板の近傍に別体の金属板を配置し、この金属板を基準電位に接続した太陽電池モジュールが記載されている。また、特許文献１の実施形態には、ガラス基板に電極薄膜を形成し、この電極薄膜を基準電位に接続した太陽電池モジュールが記載されている。これらの太陽電池モジュールにおいては、時計のムーブメントに取り付けた際に、金属板または電極薄膜を基準電位に導通させることで、静電気を流すルートを形成している。
一方、近年、発電性能向上やコスト低減のため、基材としてフィルムを用いたフィルム太陽電池が使用されている。フィルム太陽電池は、時計に使用する場合、剛性を有する金属製の案内板に固定されて組み込まれる。
【先行技術文献】
【特許文献】
【０００３】
【特許文献１】国際公開第０２／３９５０４号公報
【発明の概要】
【発明が解決しようとする課題】
【０００４】
金属製の案内板に固定されたフィルム太陽電池では、太陽電池内部の配線と案内板との間にフィルム太陽電池を覆う樹脂材料が配置され、これがコンデンサーとなる。このとき、フィルム太陽電池の案内板の電位が浮いていると、金属製の案内板に静電気の電荷が流れ込み、太陽電池を介して制御回路に電流が流れ、制御回路に電気的影響が生じるおそれがある。そのため、静電気対策が必要となるが、特許文献１に記載の方法は、ガラス基板を有する太陽電池をムーブメントに取り付けた後に静電気対策を施したものであり、金属製の案内板に固定されたフィルム太陽電池に関しては、検討されていない。特に、フィルム太陽電池をムーブメントに取り付ける後だけでなく、取り付ける前においても静電気対策を行うことに関しては、何ら示唆されていない。
【０００５】
本発明の目的は、基材としてフィルムを用いた太陽電池を備えるとともに、静電気の影響を受けにくい太陽電池付電子時計を提供することにある。
【課題を解決するための手段】
【０００６】
本発明の太陽電池付電子時計は、導電性材料により形成された外装ケースと、前記外装ケースに収容される太陽電池ユニットと、電気エネルギーを蓄積する蓄電体を有し、前記外装ケースに収容されるムーブメントと、を備え、前記太陽電池ユニットは、フィルム製の基材を用いた太陽電池と、当該太陽電池の基材の裏面に形成された正極および負極と、前記正極および負極に接触せずに前記基材の裏面に接着された導電性の太陽電池案内板と、を有し、前記太陽電池の正極は、前記蓄電体の正極に導通され、前記太陽電池の負極は、前記蓄電体の負極に導通され、前記太陽電池案内板は、前記蓄電体の正極と負極のうちグランド電極に設定された電極に導通されることを特徴とする。
【０００７】
この発明によれば、太陽電池ユニットにおいて、太陽電池案内板が太陽電池の正極および負極に非接触つまり導通されていないので、太陽電池付電子時計の組み立て前に、太陽電池案内板から太陽電池に静電気の電荷が流れ込むことを防ぐことができる。これにより、太陽電池付電子時計の組み立て前に太陽電池が破損することを防ぐことができる。
また、太陽電池ユニットおよびムーブメントを外装ケースに組み込んで太陽電池付電子時計の組み立てを行った際には、太陽電池の正極が二次電池等の蓄電体の正極に導通され、太陽電池の負極が蓄電体の負極に導通され、太陽電池案内板が蓄電体のグランド電極に設定された電極に導通される。これにより、太陽電池付電子時計の組み立て後においても、太陽電池案内板と太陽電池のいずれかの電極が同じ電位となり、静電気を太陽電池案内板からグランド電極に逃がすことができる。したがって、太陽電池が破損することを防ぐことができるとともに、静電気の電荷が太陽電池を介して制御回路に流れ、制御回路に影響が生じることを防ぐことができる。
【０００８】
本発明の太陽電池付電子時計において、前記太陽電池ユニットと前記蓄電体の電極とを導通する導通部材を備え、前記導通部材は、前記太陽電池の正極を前記蓄電体の正極に導通する正極コイルばねと、前記太陽電池の負極を前記蓄電体の負極に導通する負極コイルばねと、前記太陽電池案内板を前記蓄電体の正極と負極のうちグランド電極に設定された電極に導通する案内板導通コイルばねと、を有することが好ましい。
【０００９】
この発明によれば、太陽電池の電極を二次電池等の蓄電体の電極に導通する導通部材として、正極および負極コイルばねと、太陽電池案内板を蓄電体のグランド電極に設定された電極に導通する案内板導通コイルばねとを有する。
そして、太陽電池案内板を文字板や外装ケースで押さえたり、太陽電池案内板にムーブメントに固定するための固定部を形成することで、前記各コイルばねを圧縮して配置できる。従って、太陽電池案内板および太陽電池の電極と、二次電池の電極とに、前記各コイルばねを所定の接触圧で接触でき、各電極を前記各コイルばねを介して確実に導通できる。
また、導通部材としてコイルばねを用いているので、太陽電池ユニットをムーブメントと共に外装ケースに組み込むだけで、簡単に太陽電池案内板および太陽電池の電極を二次電池の電極に導通することができるので、組み立てが簡単である。
【００１０】
本発明の太陽電池付電子時計において、前記太陽電池案内板は、前記ムーブメントに固定可能な固定部を備え、前記固定部は、前記太陽電池案内板の中心を挟んで互いに対向配置され、前記正極コイルばねは、前記固定部のうち一方の近傍に設けられ、前記負極コイルばねは、前記固定部のうち他方の近傍に設けられ、前記案内板導通コイルばねは、前記正極コイルばねと前記負極コイルばねのうちグランド電極に導通されるコイルばねの近傍に設けられることが好ましい。
【００１１】
この発明によれば、固定部が前記太陽電池案内板の中心を挟んで互いに対向配置されるので、太陽電池ユニットをムーブメントの面に対し、傾くことなく確実に固定することができる。さらに、正極コイルばねおよび負極コイルばねは、それぞれ互いに対向配置される固定部の近傍に設けられ、案内板導通コイルばねは、正極コイルばねおよび負極コイルばねの一方の近傍に設けられる。すなわち、各コイルばねは、いずれも固定部の近傍に設けられるので、各コイルばねによる付勢力を固定部で受けることができる。特に、案内板導通コイルばねを固定部と離れた場所に設けると、固定部を支点として太陽電池案内板を回転させる力が働き、太陽電池案内板が変形するおそれがある。しかしながら、本発明では、各コイルばねの付勢力を固定部で受けることができるので、太陽電池案内板や太陽電池が変形することを防ぐことができる。
【００１２】
また、本発明の太陽電池付電子時計において、前記太陽電池ユニットと前記蓄電体の電極とを導通する導通部材を備え、前記導通部材は、前記太陽電池の正極を前記蓄電体の正極に導通する正極コイルばねと、前記太陽電池の負極を前記蓄電体の負極に導通する負極コイルばねと、を有し、前記二次電池の正極と負極のうちグランド電極に設定された電極に導通する前記正極コイルばねまたは前記負極コイルばねの一方は、前記太陽電池案内板にも導通することが好ましい。
【００１３】
ここで、正極コイルばねまたは前記負極コイルばねの一方は、前記太陽電池案内板にも導通するとは、例えば、正極コイルばねの端面を、太陽電池の正極と、太陽電池案内板とに跨って接触させて導通するものでもよい。また、太陽電池案内板に弾性変形可能な離間部を形成し、この離間部に正極コイルばねの端面を当接させ、正極コイルばねの付勢力で離間部を弾性変形させて前記太陽電池の正極に接触させるものでもよい。
この発明によれば、上述した本発明の効果を奏するとともに、太陽電池案内板と、太陽電池の正極または負極のうち、グランド電極に設定された電極とを、１つのコイルばねで二次電池の電極に導通することができるので、部品点数を減らすことができ、組み立ての手間を削減することができる。また、部品点数を減らすことができるので、これらのコイルばねの配置レイアウトの自由度を高めることができる。
【図面の簡単な説明】
【００１４】
【図１】本発明の第一実施形態に係る太陽電池付電子時計を示す正面図。
【図２】前記実施形態の要部を示す分解斜視図。
【図３】前記実施形態の要部を示す分解斜視図。
【図４】前記実施形態の要部を示す回路図。
【図５】前記実施形態の要部を示す平面図。
【図６】前記実施形態の一部拡大断面図。
【図７】前記実施形態の一部拡大断面図。
【図８】本発明の第二実施形態に係る太陽電池付電子時計の要部を示す分解斜視図。
【図９】前記実施形態の一部拡大断面図。
【図１０】本発明の変形例に係る太陽電池付電子時計の一部を示す斜視図。
【図１１】前記変形例の動作説明図。
【発明を実施するための形態】
【００１５】
（第一実施形態）
以下、本発明の実施の第一実施形態を図面に基づいて説明する。
図１は、第一実施形態に係る太陽電池付電子時計１の平面図である。太陽電池付電子時計１は、図１に示すように、時刻を表示する時刻表示部１０を備えた指針式腕時計（アナログ時計）である。この時刻表示部１０は、時針１１、分針１２、秒針１３、文字板１４を備える。
【００１６】
〔太陽電池付電子時計の構成〕
太陽電池付電子時計１は、導電性材料で形成された外装ケース１００を備えている。外装ケース１００は、ほぼリング状に形成されたケーシング（胴）１１０と、ケーシング１１０の裏面側に着脱可能に取り付けられた図示略の裏蓋とを備えている。導電性材料としては、ステンレス、金、チタン材等の金属材料が採用される。外装ケース１００は一般的な構成であるため説明を省略する。なお、ケーシング１１０の表面側には、カバーガラス１２０が装着されている。
外装ケース１００内には、図２に示すように、ムーブメント２と、文字板受けリング部材３と、太陽電池４０を備えた太陽電池ユニット４と、導通部材５と、が配置されている。そして、太陽電池ユニット４の表側には、文字板１４が配置されている。  文字板１４は、各種プラスチック、各種ガラス、各種セラミックス等の非金属材料により形成された透光性の板状部材である。文字板１４は、非金属材料で形成されているため、静電気を逃がしにくい。
ムーブメント２は、図３に示すように、地板２０、蓄電体である二次電池２３、回路基板２４、回路押え板２５、図３では図示しない逆流防止ダイオード２６、ステッピングモーター、駆動輪列等を備える。ムーブメント２の構成は、一般的な構成であるため、説明を簡略する。
【００１７】
〔太陽電池付電子時計の構造〕
図４は、太陽電池ユニット４とムーブメント２内の各部材との導通を示す回路図である。
本実施形態に係る太陽電池付電子時計１は、太陽電池４０の発電電流により、二次電池２３を充電し、二次電池２３から供給される電力により、回路基板２４に設けられた制御回路２４１を作動し、この制御回路２４１でステッピングモーターなどを制御し、内部時刻を表示する。
【００１８】
〔地板の構成〕
図３および図５に示すように、地板２０の上面には、暦車である日車２１が配置されている。地板２０には、日車２１よりも外周側に３つの貫通孔２０１，２０２，２０３が設けられている。これらの貫通孔２０１，２０２，２０３に、導通部材５が挿通される。
【００１９】
〔二次電池の構成〕
図３および図４に示すように二次電池２３は、例えば、リチウムイオン二次電池等の充電が可能な一般的なボタン型の電池であり、駆動電力を回路基板２４の制御回路２４１に供給する。
このような二次電池２３には、太陽電池４０により発電された発電電流が回路基板２４に形成された配線を介して供給され、当該発電電流により二次電池２３は充電される。二次電池２３の正極２３Ａはグランド電極とされ、回路基板２４のグランド電極である正極に接続され、当該二次電池２３の負極２３Ｂは、回路基板２４の負極に接続される。
【００２０】
〔回路基板の構成〕
回路基板２４は、外装ケース１００内において太陽電池ユニット４側（文字板１４側）とは反対側に配置され、地板２０の貫通孔２０１，２０２，２０３に対応する位置に、導通部材５に導通する回路基板２４側の図示しない正極および負極がそれぞれ設けられている。この回路基板２４は、後述する回路押え板２５により地板２０に押圧固定される。
【００２１】
図４に示すように逆流防止ダイオード２６は、太陽電池４０の負極４４と二次電池２３の負極２３Ｂとを結ぶ経路上に設けられている。そして、逆流防止ダイオード２６は、太陽電池４０による発電電圧が低下して二次電池２３の電圧以下となった場合に、二次電池２３から太陽電池４０に電流が流れることを防止している。
【００２２】
制御回路２４１のＶＤＤ端子およびＶＳＳ端子は、二次電池２３の正極（ＶＤＤ）および負極（ＶＳＳ）に接続され、二次電池２３に蓄積された電流で駆動される。そして、制御回路２４１は、図示しない発振器から入力されるクロック信号に基づいて内部時刻を計時し、ステップモーターにパルス信号を出力して内部時刻を表示させる。
さらに、制御回路２４１は、ＬＩＭ端子を備える。ＬＩＭ端子は、二次電池２３への過充電を防止するリミッター機能の端子であり、過充電と判断した場合、例えば、二次電池２３への充電電圧が２．２Ｖ以上となった場合、太陽電池４０の両端をショートすることで、過充電を防止する機能を有している。
【００２３】
〔文字板受けリング部材の構成〕
文字板受けリング部材３は、非透光性の材料（たとえば合成樹脂）により円環状に形成され、後述する太陽電池４０と同系色に着色されている。そして、図２に示すように、文字板受けリング部材３の表面側には、文字板受けリング部材３の内周面に沿って形成され、文字板受けリング部材３の上面３０よりも一段低く形成された太陽電池ユニット支持面３１が形成されている。
また、文字板受けリング部材３は、その平面中心を挟んで対向する二箇所に、図示しない支持フック部が形成されている。この支持フック部が、ムーブメント２に係合し、文字板受けリング部材３はムーブメント２を保持する。
【００２４】
また、図２に示すように、文字板受けリング部材３は、支持フック部とは別の位置であって、その平面中心を挟んで対向する二箇所に、後述する太陽電池ユニット４の固定部４５１Ａおよび４５１Ｂを係止する係止部３３を備える。
【００２５】
〔太陽電池ユニットの構成〕
太陽電池ユニット４は、図５に示すように、太陽電池４０と、太陽電池４０の裏面に固定される太陽電池案内板４５とを備える。
太陽電池４０は、平面視略円形状の基材４１と、基材４１の表面側に形成された受光部４２と、一対の電極４３，４４とを備える。一対の電極４３，４４は、正極４３および負極４４とされている。
太陽電池４０は、文字板１４を透過した太陽光が受光部４２に当たることで発電を行い、受光部４２で発電された電力は、前記電極４３，４４から導通部材５を介してムーブメント２に設けられた二次電池２３に充電され、この二次電池２３の出力でステッピングモーター等が駆動される。
【００２６】
基材４１は、合成樹脂製のフィルムなどの絶縁材で構成されている。受光部４２は、前記基材４１の表面上に、金属電極層、半導体層、絶縁層、配線電極層、透光性の封止樹脂層などを積層することによって構成されている。
従って、太陽電池４０は、フィルム型の太陽電池である。すなわち、フィルム型の太陽電池とは、基材がガラス等ではなく、合成樹脂のフィルムなどで構成されているものを言う。
受光部４２は、３つの領域に分割されて形成されている。すなわち、太陽電池４０の表面には扇形状の３つの受光部４２が形成されている。そして、本実施形態では、３つの受光部４２の出力を直列接続することで発電電圧を向上させている。
【００２７】
〔太陽電池案内板の構成〕
太陽電池案内板４５は、ステンレス板などの導電性部材で構成され、略円板状に形成されている。そして太陽電池案内板４５は、太陽電池４０の基材４１の裏面に、接着剤や粘着テープによって貼り付けられている。
図３にも示すように、太陽電池案内板４５は、太陽電池案内板４５を文字板受けリング部材３に固定するための固定部４５１を備えている。この固定部４５１は、太陽電池案内板４５の中央を挟んで互いに対向配置された２つの固定部４５１Ａ，４５１Ｂを備えている。また、太陽電池案内板４５において、前記電極４３，４４が配置される部分はＵ字状の溝４５２とされ、前記電極４３，４４に太陽電池案内板４５が接触しないように構成されている。
【００２８】
固定部４５１Ａ，４５１Ｂは、太陽電池案内板４５から折曲されたＬ字状の板部で構成されている。
この太陽電池案内板４５は、後述する導通部材５により二次電池２３の正極２３Ａに導通される。
【００２９】
なお、この太陽電池案内板４５は、太陽電池４０よりも僅かに小さなサイズに形成されており、太陽電池４０の基材４１で全体が被覆されている。このため、太陽電池案内板４５は、太陽電池４０から露出することがなく、文字板１４側から視認されることがない。
【００３０】
前記太陽電池４０の正極４３および負極４４は、それぞれ固定部４５１Ａ，４５１Ｂの近傍に設けられている。
なお、後述するように、太陽電池付電子時計１では、回路基板における正極（ＶＤＤ）および負極（ＶＳＳ）のうち、正極（ＶＤＤ）をグランド電極としている。
【００３１】
〔導通部材〕
導通部材５は、圧縮コイルばねで構成される案内板導通コイルばね５１、正極コイルばね５２、および負極コイルばね５３を備える。各コイルばね５１〜５３は、圧縮された状態で地板２０の貫通孔２０１，２０２，２０３内にそれぞれ配置されている。このため、太陽電池ユニット４と、回路基板２４及び回路押え板２５とを確実に導通させることができる。
より具体的には、図６に示すように、案内板導通コイルばね５１は、地板２０の貫通孔２０１に配置され、太陽電池案内板４５と回路押え板２５とを導通する。正極コイルばね５２は、地板２０の貫通孔２０２に配置され、太陽電池４０の正極４３と、回路押え板２５とを導通する。回路押え板２５は、二次電池の正極２３Ａと電気的に導通され、グランド電極に設定されている。したがって、太陽電池案内板４５および太陽電池４０の正極４３は、グランド電極に設定された二次電池の正極２３Ａに電気的に導通している。
図７に示すように、負極コイルばね５３は、地板２０の貫通孔２０３に配置され、太陽電池４０の負極４４と、回路基板２４の負極配線とを導通する。回路基板２４の負極配線は、二次電池の負極２３Ｂと電気的に導通されている。したがって、太陽電池４０の負極４４は、二次電池の負極２３Ｂに電気的に導通している。
【００３２】
〔太陽電池付電子時計の組み立て〕
次に、図１〜７を参照して、太陽電池付電子時計１の組み立て方法について説明する。
まず、文字板受けリング部材３でムーブメント２を保持する。この際、ムーブメント２の上方から文字板受けリング部材３をはめ込むとともに、文字板受けリング部材３の図示しない支持フック部をムーブメント２の底面に引っ掛けるようにして支持する。また、外装ケース１００のサイズに応じて、ムーブメント２に図示略の中枠を取り付ける。
【００３３】
次に、太陽電池ユニット４を以下の手順でムーブメント２に取り付ける。まず、図５に示すように、案内板導通コイルばね５１、正極コイルばね５２、および負極コイルばね５３をそれぞれ地板２０の貫通孔２０１〜２０３に配置してから、太陽電池ユニット支持面３１に太陽電池ユニット４を配置する。その際、太陽電池案内板４５に設けられた固定部４５１Ａおよび４５１Ｂを文字板受けリング部材３の係止部３３に合わせる。
【００３４】
次に、太陽電池案内板４５を、ムーブメント２に対して押し込んで、係止部３３を、固定部４５１Ａ，４５１Ｂに係止させる。これにより、太陽電池ユニット４が文字板受けリング部材３を介して地板２０に取り付けられて、時計厚さ方向および周方向に位置決めされる。
この際、図６および図７に示すように、案内板導通コイルばね５１は、太陽電池案内板４５に接触して、太陽電池案内板４５と導通し、正極および負極コイルばね５２，５３は、太陽電池４０の裏面に形成された電極４３，４４に接触して太陽電池４０と導通する。
【００３５】
以上の手順により、図５に示すように、太陽電池ユニット４が、ムーブメント２に固定される。
次に、文字板１４を太陽電池ユニット４の表面側から文字板受けリング部材３に保持させ、このムーブメント２等を外装ケース１００に組み込む。最後に、ムーブメント２に二次電池２３を組み込み、図示しない裏蓋をケーシング１１０に取り付けて太陽電池付電子時計１が組み立てられる。そして、裏蓋およびケーシング１１０は、回路押え板２５と導通されて、グランド電位とされる。
【００３６】
上述した第一実施形態に係る太陽電池付電子時計１によれば、以下の効果を奏する。
（１）太陽電池ユニット４において、太陽電池案内板４５の太陽電池４０の電極４３，４４に対応する位置にＵ字状の溝４５２を設けた。したがって、太陽電池付電子時計１を組み立てる前の太陽電池ユニット４において、太陽電池４０の電極４３，４４は太陽電池案内板４５に非接触であり、つまり導通されていないので、太陽電池４０に静電気の電荷が流れ込むことを防ぐことができる。これにより、太陽電池付電子時計１を組み立てる前、すなわち、外装ケース１００に太陽電池ユニット４を組み込む前に太陽電池４０が破損することを防ぐことができる。
【００３７】
また、太陽電池ユニット４およびムーブメント２を外装ケース１００に組み込んだ際には、太陽電池案内板４５および太陽電池４０の正極４３が二次電池２３のグランド電極に設定された正極２３Ａに導通される。これにより、外装ケース１００に組み込んだ後においても、太陽電池案内板４５と太陽電池４０の正極４３が同じ電位となり、静電気を太陽電池案内板４５からグランド電極に逃すことができる。したがって、太陽電池４０が破損することを防ぐことができるとともに、静電気の電荷が太陽電池４０を介して制御回路２４１に流れ、制御回路２４１に影響が生じることを防ぐことができる。
本実施形態のようなアナログ時計は、各種プラスチック等で形成された歯車など、非金属材料で形成された部品が多く、静電気を帯電しやすいが、上述の通り、静電気を太陽電池案内板４５からグランド電極に逃すことができるので、制御回路２４１に影響が生じることを防ぐことができる。
【００３８】
（２）太陽電池案内板４５および太陽電池４０の電極４３，４４を二次電池２３の電極２３Ａ，２３Ｂに導通する導通部材５として、案内板導通コイルばね５１と、正極コイルばね５２と、負極コイルばね５３とを有する。太陽電池案内板４５を文字板１４や外装ケース１００で押さえたり、太陽電池案内板４５にムーブメント２に固定するための固定部を形成することで、これらのコイルばね５１〜５３を、太陽電池ユニット４と回路基板２４および回路押え板２５との間において圧縮して配置できる。したがって、太陽電池ユニット４をムーブメント２と共に、外装ケース１００に組み込むだけで、簡単に太陽電池案内板４５および太陽電池４０の電極４３，４４を二次電池２３の電極２３Ａ，２３Ｂに確実に導通することができ、組み立ても簡単である。
【００３９】
（３）固定部４５１Ａ，４５１Ｂを太陽電池案内板４５の中心を挟んで互いに対向配置したので、太陽電池ユニット４をムーブメント２に対し、傾くことなく確実に固定することができる。
さらに、案内板導通コイルばね５１および正極コイルばね５２を固定部４５１Ａの近傍に設け、負極コイルばね５３を固定部４５１Ｂの近傍に設けた。これにより、コイルばね５１〜５３は、いずれも固定部４５１の近傍に設けられるので、各コイルばね５１〜５３の付勢力を固定部４５１で受けることができる。特に、案内板導通コイルばね５１を固定部４５１と離れた場所に設けると、固定部４５１を支点として太陽電池案内板４５を回転させる力が働き、太陽電池案内板４５および太陽電池４０が変形するおそれがある。しかしながら、本実施形態では、コイルばね５１〜５３の付勢力を固定部４５１で受けることができるので、太陽電池案内板４５や太陽電池４０が変形することを防ぐことができる。なお、本実施形態においては、太陽電池案内板４５をステンレスとしているので、剛性が高く、太陽電池案内板４５および太陽電池４０の変形をより一層防ぐことができる。
また、案内板導通コイルばね５１は、太陽電池４０の正極４３に導通する正極コイルばね５２の近傍に設けられるので、導通先の二次電池２３の電極２３Ａ，２３Ｂの形状や位置を大きく変更する必要がない。
【００４０】
（第二実施形態）
次に、本発明の第２実施形態について説明する。
本実施形態に係る太陽電池付電子時計１Ａは、正極コイルばね５２を太陽電池４０の正極４３に導通するとともに、太陽電池案内板４５にも導通する点および太陽電池案内板４５の固定部４５１を備えていない点において、第一実施形態と異なる。なお、以下の説明では、既に説明した部分と同一または略同一である部分については、同一の符号を付して説明を省略する。
【００４１】
本実施形態に係る太陽電池付電子時計１Ａは、図８に示すように、地板２０Ａ、太陽電池案内板４５Ａおよび導通部材５Ａを備える他は、第一実施形態における太陽電池付電子時計１と同様の構成を有する。
地板２０Ａは、３つの貫通孔２０１〜２０３の代わりに、導通部材５Ａを導通する２つの貫通孔２０２Ａ、２０３を備える他は、第一実施形態の地板２０と同様の構成を有する。
太陽電池案内板４５Ａは、固定部４５１を有していない他は、第一実施形態の太陽電池案内板４５と同様の構成を有する。
導通部材５Ａは、正極コイルばね５２Ａと、負極コイルばね５３とを備え、正極コイルばね５２Ａは、地板２０の貫通孔２０２Ａに配置されることで、太陽電池４０の正極４３と太陽電池案内板４５Ａとに跨って配置される。
【００４２】
このような太陽電池付電子時計１は、第一実施形態と同様にして、文字板受けリング部材３でムーブメント２を保持後、以下の手順で組み立てられる。
まず、正極コイルばね５２Ａおよび負極コイルばね５３をそれぞれ地板２０の貫通孔２０２Ａおよび２０３に配置してから、太陽電池ユニット支持面３１に太陽電池ユニット４を配置する。その際、太陽電池４０の正極４３および太陽電池案内板４５Ａを貫通孔２０２Ａに合わせ、太陽電池４０の負極４４を貫通孔２０３に合わせて配置する。次いで、図８では図示しない文字板１４を太陽電池ユニット４の表面側から文字板受けリング部材３に保持させ、これらを外装ケース１００に収容する。これにより、太陽電池ユニット４が文字板１４や外装ケース１００に挟まれ、ムーブメント２に押し付けられて、正極コイルばね５２および負極コイルばね５３が圧縮される。この際、図９に示すように、太陽電池４０の正極４３と、太陽電池案内板４５Ａとは、正極コイルばね５２Ａにより、同時に回路押え板２５に導通される。一方、太陽電池４０の負極４４は、前述した第一実施形態において図６で説明したように、二次電池２３の負極２３Ｂに導通される。以上のように、太陽電池４０の正極４３、負極４４および太陽電池案内板４５Ａが二次電池２３の電極２３Ａ，２３Ｂに導通され、太陽電池付電子時計１Ａが組み立てられる。
【００４３】
以上説明した第二実施形態に係る太陽電池付電子時計１Ａによれば、前述の太陽電池付電子時計１における効果（１）〜（２）と同様の効果を奏することができる他、以下の効果を奏することができる。
太陽電池４０の正極４３と太陽電池案内板４５Ａとを、１本の正極コイルばね５２で同時に二次電池２３の正極２３Ａに導通させるので、正極４３と、太陽電池案内板４５とを別々に二次電池の正極２３Ａに導通させる場合に比べて、部品点数を少なくすることができ、組み立ての手間を削減することができる。また、部品点数が減ることにより、正極コイルばね５２の配置レイアウトの自由度を高めることができる。
さらに、太陽電池案内板４５Ａに固定部を設けなかったので、太陽電池案内板４５Ａが簡単な構造になり、加工が簡単である。したがって、太陽電池付電子時計１Ａの製造コストを低減することができる。
【００４４】
［実施形態の変形］
なお、本発明は前述の実施形態に限定されるものではなく、本発明の目的を達成できる範囲での変形、改良等は本発明に含まれるものである。
【００４５】
前記実施形態では、太陽電池ユニット４において、太陽電池案内板４５にＵ字状の溝４５２を設けて、太陽電池案内板４５と太陽電池４０の正極４３とが導通しないよう構成したが、図１０に示すように、太陽電池案内板４５において、太陽電池４０の正極４３に対応する位置に弾性変形可能な離間部４５４を設けてもよい。
図１１（Ａ）に示すように離間部４５４は、太陽電池案内板４５の一部に太陽電池４０と離間する方向に折曲された段差部４５６を備え、太陽電池付電子時計１の組み立て前において、太陽電池４０と離間して隙間を有するよう設けられている。そして、離間部４５４は、太陽電池４０に対向する面に突起部４５７を備える。そして、太陽電池ユニット４がムーブメント２に固定される際、正極コイルばね５２が、まず、離間部４５４に導通される。ついで、図９（Ｂ）に示すように、正極コイルばね５２により離間部４５４が太陽電池４０に向かって付勢されて、離間部４５４が撓んで突起部４５７と太陽電池４０の正極４３が接触する。これにより、太陽電池案内板４５と太陽電池４０の正極４３とが導通される。
【００４６】
すなわち、本変形例においては、太陽電池案内板４５を二次電池２３の正極２３Ａに導通するための案内板導通コイルばね５１を正極コイルばね５２と別に設ける必要がない。したがって、部品点数を減らし、組み立ての手間を削減することができる。なお、太陽電池４０の負極４４は、前記実施形態と同様に太陽電池案内板４５にＵ字状の溝４５２を設け、負極コイルばね５３用いて、二次電池２３の負極２３Ｂに導通させる。
【００４７】
また、前記実施形態では、導通部材５をコイルばねにより構成したが、これに限らず、太陽電池ユニット４と、回路基板２４や二次電池２３とを互いに導通させることが可能であれば、他の構成を採用してもよい。
前記実施形態では、二次電池２３の正極２３Ａをグランド電極に設定したが、二次電池２３の負極２３Ｂをグランド電極に設定してもよい。
【００４８】
さらに、太陽電池案内板４５を二次電池２３の負極２３Ｂと導通されてもよい。太陽電池案内板４５を負極２３Ｂに導通することで、コンデンサーが正極−負極間に形成されたものと同様になり、前記実施形態に比べて更に耐静電気性が向上する。
前記実施形態では、太陽電池案内板４５を、接着剤や粘着テープで太陽電池４０の裏面に固定していたが、他の固定方法で固定してもよい。
また、蓄電体としては、二次電池２３に限らず、キャパシターなどの充電可能な機器であればよい。
また、前記実施形態では、本発明に係る太陽電池付電子時計１，１Ａとして、腕時計タイプの時計を例示して説明したが、これに限らず、壁掛け時計等、他のタイプの時計であってもよい。
【符号の説明】
【００４９】
１…太陽電池付電子時計、２…ムーブメント、４…太陽電池ユニット、５，５Ａ…導通部材、２３…二次電池（蓄電体）、４０…太陽電池、４１…基材、４５，４５Ａ…太陽電池案内板、４５１…固定部、５１…案内板導通コイルばね、５２，５２Ａ…正極コイルばね、５３…負極コイルばね、４３，２３Ａ…正極、４４，２３Ｂ…負極、１００…外装ケース
【図１】
2014006145.tif 000003
【図２】
2014006145.tif 000004
【図３】
2014006145.tif 000005
【図４】
2014006145.tif 000006
【図５】
2014006145.tif 000007
【図６】
2014006145.tif 000008
【図７】
2014006145.tif 000009
【図８】
2014006145.tif 000010
【図９】
2014006145.tif 000011
【図１０】
2014006145.tif 000012
【図１１】
2014006145.tif 000013